(57)【要約】【課題】余計な構成を極力排除し、単純な構成でコストダウンを図る。【解決手段】電気接続箱本体１０と、その下面と上面を覆う下カバー３０と上カバー５０とを備えた電気接続箱において、下カバー３０の上端に、電気接続箱本体とロックするためのロック孔３６を有する可撓ロック片３５を突設し、その可撓ロック片３５に、上カバー５０とロックする係合凸部３７を一緒に形成した。【選択図】図４
2008099392.tif 000002
【特許請求の範囲】
【請求項１】
電気接続箱本体と、該電気接続箱本体の両面を覆うように設けられる取付部品及びカバー等と、を備えた電気接続箱において、
前記取付部品及びカバーのうちの一方に、前記電気接続箱本体とロックするための第１ロック部を有する可撓ロック片を設けると共に、その可撓ロック片に、前記取付部品及びカバーのうちの他方とロックするための第２ロック部を形成したことを特徴とする電気接続箱。
【請求項２】
請求項１に記載の電気接続箱であって、
前記可撓ロック片を、前記一方の取付部品の外周縁部に前記他方のカバーに向けて突設し、その長さを、該可撓ロック片の第１ロック部にロックした状態の前記電気接続箱本体を超える長さに設定したことを特徴とする電気接続箱。
【請求項３】
請求項２に記載の電気接続箱であって、
前記可撓ロック片の第１ロック部の解除時撓み方向と第２ロック部の解除時撓み方向とを逆に設定したことを特徴とする電気接続箱。
【請求項４】
請求項１〜３のいずれか１項に記載の電気接続箱であって、
前記他方のカバーが電気接続箱本体の上面を覆う上カバーであると共に、前記一方の取付部品が該電気接続箱本体の下面を覆う下カバーであり、この下カバーの外周縁部に、前記電気接続箱本体の係合部とロックする第１ロック部を有する前記可撓ロック片を突設し、その可撓ロック片の前記第１ロック部より上側の位置に、前記上カバーの係合部とロックする第２ロック部を形成し、しかも、前記第１のロック部に、前記電気接続箱本体の係合部が内側からロックし、前記第２ロック部に、前記上カバーの係合部が外側からロックするように構成したことを特徴とする電気接続箱。
【請求項５】
請求項４に記載の電気接続箱であって、
前記下カバーの上面開口の周縁部に、前記電気接続箱本体の周縁部を載置する段部を設け、その段部の外周側に起立させた上端周壁部に、上向きに前記可撓ロック片を突設し、一方、前記上カバーの下面開口の周縁部に、前記下カバーの上端周壁部の外側に上方から被さる下端スカート部を設け、その下端スカート部の一部に、前記可撓ロック片の外側に被さるロックカバー部を設け、そのロックカバー部の内側壁に、前記第２ロック部と係合する係合部を設けたことを特徴とする電気接続箱。
【発明の詳細な説明】
【技術分野】
【０００１】
本発明は、電気接続箱本体の両面を一対のカバーで覆うようにした電気接続箱に関するものである。
【背景技術】
【０００２】
従来、電気接続箱本体の下面を下カバーで覆う共に、上面を上カバーで覆うようにした電気接続箱が知られている（特許文献１参照）。
【０００３】
図５は従来のその種の電気接続箱の一例を示す分解斜視図、図６（ａ）は図５のＶＩ部の拡大斜視図、（ｂ）はその反対から見た斜視図、図７は図５のＶＩＩ部の拡大斜視図、図８は電気接続箱の組付完成状態の外観斜視図、図９は図８のＩＸ−ＩＸ矢視断面図、図１０は図８のＸ−Ｘ矢視断面図である。
【０００４】
この電気接続箱は、図５に示すように、電気接続箱本体１１０と、電気接続箱本体１１０の下面を覆うように設けられる下カバー１３０と、電気接続箱本体１１０の上面を覆うように設けられる上カバー１５０、とからなる。
【０００５】
電気接続箱本体１１０は、アッパーケース１１１とロアケース１１２を合体して、内部に電気部品を収容したもので、一方の相対向する一対の外側壁に、下カバー１３０にロックするための４つの係合突起１１５を有すると共に、他方の相対向する一対の外側壁に、上カバー１５０をロックするための４つの係合突起１１６を有している。
【０００６】
また、下カバー１３０は、下部周壁部１３１の上端に、それより外周側に位置する上端周壁部１３２を段部１３３を介して連設し、上端開口の周縁部に位置するその段部１３３に、電気接続箱本体１１０の周縁部を載置できるようにしたもので、上端周壁部１３２の一方の対向辺の外側面に、図６、図９に示すように、電気接続箱本体１１０の係合突起１１５に係合するロック孔１３６を有したロック片１３５を突設している。
【０００７】
また、上カバー１５０は、上部周壁部１５１の下端に、それより外周側に位置する下端スカート部１５２を段部１５３を介して連設し、下端開口の周縁部に位置するその段部１５３で、電気接続箱本体１１０の周縁部を上から押さえ付けるようになっており、下端スカート部１５２の一方の対向辺に、図１０に示すように、電気接続箱本体１１０の係合突起１１６に係合するロック突起１５６ａを内部に有するロックアーム１５６を形成している。
【０００８】
なお、図７に示すように、ロックアーム１５６の両脇には、ロックアーム１５６の可撓性を確保するためのスリット１５７が設けられている。また、図１０に示すように、ロックアーム１５６の内部には、ロック突起１５６ａを形成するための型抜き孔１５６ｂが設けられている。また、図５、図８、図９に示すように、下端スカート部１５２の他方の対向辺には、下カバー１３０のロック片１３５を収容するロックカバー部１５５が設けられている。
【０００９】
この電気接続箱を組み立てる場合は、電気接続箱本体１１０を下カバー１３０の段部１３３に載置し、ロック片１３５のロック孔１３６に係合突起１１５を係合させることにより、電気接続箱本体１１０を下カバー１３０に収容・固定する。
【００１０】
次に、上カバー１５０をその上に被せ、上カバー１５０のロックアーム１５６を電気接続箱本体１１０の係合突起１１６に係合させる。そうすることで、下カバー１３０と電気接続箱本体１１０と上カバー１５０の３体が一体に固定される。
【特許文献１】特開２００１−４４６５５号公報（図１）
【発明の開示】
【発明が解決しようとする課題】
【００１１】
ところで、上記従来の電気接続箱では、下カバー１３０と電気接続箱本体１１０をロックするロック機構（ロック片１３５と係合突起１１５）と、上カバー１５０と電気接続箱本体１１０をロックするロック機構（ロックアーム１５６と係合突起１１６）とを別々に設けているので、ロック機構の数が多くなる分だけ、コスト高になっていた。
【００１２】
また、メンテナンス時に、ロック解除する箇所が多いため、容易に電気接続箱本体１１０を取り外せないという問題もあった。
【００１３】
また、上カバー１５０の下端スカート部１５２にロックアーム１５６を設けているので、その可撓性を確保するために余計なスリット１５７を設ける必要があった。
【００１４】
さらに、下カバー１３０のロック片１３５との干渉を避けるために、ロックに関係ない余分なロックカバー部１５５を設ける必要もあった。
【００１５】
本発明は、上記事情を考慮し、余計な構成を極力排除し、単純な構成でコストダウンを図ると共に、メンテナンスも容易にできる電気接続箱を提供することを目的とする。
【課題を解決するための手段】
【００１６】
請求項１の発明は、電気接続箱本体と、該電気接続箱本体の両面を覆うように設けられる取付部品及びカバー等と、を備えた電気接続箱において、前記取付部品及びカバーのうちの一方に、前記電気接続箱本体とロックするための第１ロック部を有する可撓ロック片を設けると共に、その可撓ロック片に、前記取付部品及びカバーのうちの他方とロックするための第２ロック部を形成したことを特徴とする。
【００１７】
請求項２の発明は、請求項１に記載の電気接続箱であって、前記可撓ロック片を、前記一方の取付部品の外周縁部に前記他方のカバーに向けて突設し、その長さを、該可撓ロック片の第１ロック部にロックした状態の前記電気接続箱本体を超える長さに設定したことを特徴とする。
【００１８】
請求項３の発明は、請求項２に記載の電気接続箱であって、前記可撓ロック片の第１ロック部の解除時撓み方向と第２ロック部の解除時撓み方向とを逆に設定したことを特徴とする。
【００１９】
請求項４の発明は、請求項１〜３のいずれか１項に記載の電気接続箱であって、前記他方のカバーが前記電気接続箱本体の上面を覆う上カバーであると共に、前記一方の取付部品が該電気接続箱本体の下面を覆う下カバーであり、この下カバーの外周縁部に、前記電気接続箱本体の係合部とロックする第１ロック部を有する前記可撓ロック片を突設し、その可撓ロック片の前記第１ロック部より上側の位置に、前記上カバーの係合部とロックする第２ロック部を形成し、しかも、前記第１のロック部に、前記電気接続箱本体の係合部が内側からロックし、前記第２ロック部に、前記上カバーの係合部が外側からロックするように構成したことを特徴とする。
【００２０】
請求項５の発明は、請求項４に記載の電気接続箱であって、前記下カバーの上面開口の周縁部に、前記電気接続箱本体の周縁部を載置する段部を設け、その段部の外周側に起立させた上端周壁部に、上向きに前記可撓ロック片を突設し、一方、前記上カバーの下面開口の周縁部に、前記下カバーの上端周壁部の外側に上方から被さる下端スカート部を設け、その下端スカート部の一部に、前記可撓ロック片の外側に被さるロックカバー部を設け、そのロックカバー部の内側壁に、前記第２ロック部と係合する係合部を設けたことを特徴とする。
【発明の効果】
【００２１】
請求項１の発明によれば、一方の取付部品（或いはカバー）に設けた可撓ロック片に、電気接続箱本体をロックするための第１ロック部と、他方のカバー（或いは取付部品）をロックするための第２ロック部とを一緒に形成しているので、２つ取付部品及びカバーの電気接続箱本体に対する係止位置を同一箇所に統一することができる。従って、車両搭載時の部品脱落や半嵌合のチェックがやりやすくなる。また、可撓ロック片の数を半分に減らすことができるので、構成が簡単になり、材料コストや成形のための金型コストを低減することができて、製品コストの削減に貢献できる。また、同じ可撓ロック片の操作により、他方のカバー（或いは取付部品）とのロック及び電気接続箱本体とのロックを共に外せるので、解除箇所が少なくて済み、メンテナンス時などにおける電気接続箱の交換作業が容易となる。
【００２２】
請求項２の発明によれば、可撓ロック片を電気接続箱本体を超える長さに設定しているので、電気接続箱本体に邪魔されずに、指などで容易に可撓ロック片の解除操作を行うことができる。
【００２３】
請求項３の発明によれば、第１ロック部と第２ロック部の各解除操作時の可撓ロック片の撓み方向を逆に設定してあるので、例えば、第１ロック部が半嵌合の状態にあるとき、第２ロック部にロックできないことにより、先のロックが半嵌合状態であることを検知することができる。また、第２ロック部にロックしたとき、可撓ロック片は第１ロック部の解除方向に撓むことができなくなることから、不用意なロックの外れを防止することができる。
【００２４】
請求項４の発明によれば、下カバーに可撓ロック片を設け、可撓ロック片の第１のロック部に電気接続箱本体の係合部が内側からロックし、可撓ロック片の第２ロック部に上カバーの係合部が外側からロックするようにしてあるので、まず、電気接続箱本体を下カバーの可撓ロック片にロックし、その上から上カバーを覆い被せることにより、電気接続箱本体と上下カバーをロックすることができ、組付が簡単にできる。
【００２５】
請求項５の発明によれば、下カバーの段部に電気接続箱本体を載置し、その上から上カバーを被せることにより、完全に上カバーと下カバーの中に電気接続箱本体を安定した状態で収容することができる。また、下カバーの上端外周壁の外側に上カバーの下端スカート部が被さるようにしてあるので、上から侵入しようとする水に対する遮蔽性を十分に発揮できる。
【発明を実施するための最良の形態】
【００２６】
以下、本発明の実施形態を図面を参照して説明する。
【００２７】
図１は実施形態の電気接続箱を示す分解斜視図、図２（ａ）は図１のＩＩ部の拡大斜視図、（ｂ）はその反対から見た斜視図、図３は同電気接続箱の組付完成状態の外観斜視図、図４は図３のＩＶ−ＩＶ矢視断面図である。
【００２８】
この電気接続箱は、図１に示すように、電気接続箱本体１０と、電気接続箱本体１０の下面を覆うように設けられる下カバー（取付部品）３０と、電気接続箱本体１０の上面を覆うように設けられる上カバー（カバー）５０、とからなる。
【００２９】
電気接続箱本体１０は、アッパーケース１１とロアケース１２を合体して、内部に電気部品を収容したもので、一方の相対向する一対の外側壁に、下カバー３０にロックするための４つの係合突起１５を有しており、他方の相対向する一対の外側壁に係合突起は設けられていない。
【００３０】
下カバー３０は、下部周壁部３１の上端に、それより外周側に位置する上端周壁部３２を段部３３を介して連設し、上端開口の周縁部に位置するその段部３３に、電気接続箱本体１０の周縁部を載置できるようにしたもので、上端周壁部３２の一方の対向辺の外側面に、電気接続箱１０の係合突起１５に係合するロック孔（第１ロック部）３６と、上カバー５０に係合する係合凸部（第２ロック部）３７と、を有した可撓ロック片３５を上向きに突設している。
【００３１】
可撓ロック片３５は、その長さが、段部３３に載せて、可撓ロック片３５にロックした状態の電気接続箱本体１０の高さを超える長さに設定されており、係合凸部３７はロック孔３６の上側に設けられている。
【００３２】
また、上カバー５０は、上部周壁部５１の下端に、それより外周側に位置する下端スカート部５２を段部５３を介して連設し、下端開口の周縁部に位置するその段部５３で、電気接続箱１０の周縁部を上から押さえ付けるようになっている。そして、下端スカート部５２の一方の対向辺に、可撓ロック片３５の外側に被さるロックカバー部５５が設けられ、そのロックカバー部５５の内側壁に、可撓ロック片３５の係合凸部（第２ロック部）３７と係合する係合突起５６が設けられている。
【００３３】
この場合、第１ロック部であるロック孔３６には、電気接続箱本体１０の係合突起１５が内側からロックし、第２ロック部である係合凸部３７には、上カバー５０の係合突起５６が外側からロックする。そのために、可撓ロック片３５の外面側に係合凸部３７が設けられている。従って、可撓ロック片３５は、ロック孔３６と係合突起１５のロックを解除する際には外側に撓み、係合凸部３７と係合突起５６のロックを解除する際には内側に撓むようになっている。
【００３４】
なお、可撓ロック片３５の上端内面側と、係合突起１５の下端面には、相互の係合を容易にするための傾斜面３５ａ、１５ａが設けられている。また、係合突起５６の下端面にも、同様の傾斜面５６ａが設けられている。また、ロックカバー部５５の上端壁には、係合突起５６を形成する際の型抜き孔５７が開いている。
【００３５】
この電気接続箱を組み立てる場合は、電気接続箱本体１０を下カバー３０の段部３３に載置し、可撓ロック片３５のロック孔３６に係合突起１５を係合させる。そうすることにより、電気接続箱本体１０を下カバー３０に収容・固定することができる。
【００３６】
次に、上カバー５０をその上に被せ、上カバー５０のロックカバー部５５を可撓ロック片３５に被せる。そうすると、ロックカバー部５５の内側面に形成してある係合突起５６がロック片３５の係合凸部３７に係合する。以上により、下カバー３０と電気接続箱本体１０と上カバー５０の３体が一体に固定される。
【００３７】
また、この電気接続箱を分解する場合は、まず、型抜き孔５７からドライバー等の先端を差し込んで、可撓ロック片３５を内側に撓ませることにより、係合突起５６との係合を外して、その状態で上カバー５０を取り外す。次に、可撓ロック片３５の上端に指をかけて外側に撓ませることで、ロック孔３６から係合突起１５を抜き、その状態で電気接続箱本体１０を上に持ち上げることにより、電気接続箱本体１０を下カバー３０から取り外す。
【００３８】
この場合、可撓ロック片３５を電気接続箱本体１０を超える長さに設定しているので、電気接続箱本体１０に邪魔されずに、指などで容易に可撓ロック片３５の解除操作を行うことができる。
【００３９】
この電気接続箱によれば、下カバー３０に設けた可撓ロック片３５に、電気接続箱本体１０をロックするための第１ロック部であるロック孔３６と、上カバー５０をロックするための第２ロック部である係合凸部３７とを一緒に形成しているので、２つのカバー３０、５０の電気接続箱本体１０に対する係止位置を同一箇所に統一することができる。従って、車両搭載時の部品脱落や半嵌合のチェックがやりやすくなる。
【００４０】
また、可撓ロック片３５の数を半分に減らすことができるので、構成が簡単になり、材料コストや成形のための金型コストを低減することができ、製品コストの削減に貢献できる。また、同じ可撓ロック片３５の操作により、上カバー５０とのロック及び電気接続箱本体１０とのロックを共に外せるので、解除箇所が少なくて済み、メンテナンス時などにおける電気接続箱本体１０の交換作業が容易となる。
【００４１】
また、ロック孔３６と係合凸部３７の各解除操作時の可撓ロック片３５の撓み方向を逆に設定してあるので、例えば、ロック孔３６が半嵌合の状態にあるとき、係合凸部３７にロックできないことにより、先のロックが半嵌合状態であることを検知することができる。また、係合凸部３７にロックしたとき、可撓ロック片３５は、ロック孔３６によるロックを解除する方向に撓むことができなくなるから、不用意なロックの外れを防止することができる。
【００４２】
また、下カバー３０に可撓ロック片３５を設け、可撓ロック片３５のロック孔３６に電気接続箱本体１０の係合突起１５が内側からロックし、可撓ロック片３５の係合凸部３７に上カバー５０の係合突起５６が外側からロックするようにしてあるので、まず、電気接続箱本体１０を下カバー３０の可撓ロック片３５にロックし、その上から上カバー５０を覆い被せることにより、電気接続箱本体１０と上、下カバー５０、３０をロックすることができ、組付が簡単にできる。
【００４３】
また、下カバー３０の段部３３に電気接続箱本体１０を載置し、その上から上カバー５０を被せることにより、完全に上カバー５０と下カバー３０の中に電気接続箱本体１０を安定した状態で収容することができるし、下カバー３０の上端外周壁３１の外側に上カバー５０の下端スカート部５２が被さるので、上から侵入しようとする水に対する遮蔽性を十分に発揮できる。
【００４４】
なお、上記実施形態においては、取付部品としての下カバー３０に可撓ロック片３５を設けているが、カバーとしての上カバー５０側等に可撓ロック片を設けてもよい。
【図面の簡単な説明】
【００４５】
【図１】本発明の実施形態の電気接続箱を示す分解斜視図である。
【図２】（ａ）は図１のＩＩ部の拡大斜視図、（ｂ）はその反対から見た斜視図である。
【図３】同電気接続箱の組付完成状態の外観斜視図である。
【図４】図３のＩＶ−ＩＶ矢視断面図である。
【図５】従来の電気接続箱の一例を示す分解斜視図である。
【図６】（ａ）は図５のＶＩ部の拡大斜視図、（ｂ）はその反対から見た斜視図である。
【図７】図５のＶＩＩ部の拡大斜視図である。
【図８】同電気接続箱の組付完成状態の外観斜視図である。
【図９】図８のＩＸ−ＩＸ矢視断面図である。
【図１０】図８のＸ−Ｘ矢視断面図である。
【符号の説明】
【００４６】
１０  電気接続箱本体
１５  係合突起（係合部）
３０  下カバー（取付部品）
３２  上端周壁部
３３  段部
３５  可撓ロック片
３６  ロック孔（第１ロック部）
３７  係合凸部（第２ロック部）
５０  上カバー（カバー）
５２  下端スカート部
５３  段部
５５  ロックカバー部
５６  係合突起（係合部）
【図１】
2008099392.tif 000003
【図２】
2008099392.tif 000004
【図３】
2008099392.tif 000005
【図４】
2008099392.tif 000006
【図５】
2008099392.tif 000007
【図６】
2008099392.tif 000008
【図７】
2008099392.tif 000009
【図８】
2008099392.tif 000010
【図９】
2008099392.tif 000011
【図１０】
2008099392.tif 000012